(57)【特許請求の範囲】
【請求項１】
利用者の利用対象となるイベントスポットを複数有する対象地域における交通流を制御する交通流制御装置であって、
前記イベントスポットにおける利用の度合いを示すスポット利用情報を取得するスポット利用情報取得部と、
利用者の移動手段が切り替わる地点であって複数の前記イベントスポットを移動先として選択可能な分岐地点に位置する利用者に向けての推奨の移動先として前記イベントスポットの各々が選出される確率を、前記スポット利用情報に基づいて決定する選出確率決定部と、
を備える交通流制御装置。
【請求項２】
前記対象地域における前記利用者の各々の移動経路の履歴を示す移動履歴情報を取得する移動履歴情報取得部を更に備え、
前記選出確率決定部は、
更に、前記利用者の前記移動履歴情報に基づいて、前記確率を決定する
請求項１に記載の交通流制御装置。
【請求項３】
前記確率にしたがって前記推奨の移動先として提示された特定のイベントスポットを示す情報を取得して、当該推奨の移動先を提示された利用者が、当該特定のイベントスポットに移動した場合に、当該利用者にとって有利となる特典を付与する特典付与部を更に備える
請求項１又は請求項２に記載の交通流制御装置。
【請求項４】
前記スポット利用情報取得部は、
前記イベントスポットにおける利用の度合いの経時的な推移を記録し、
前記選出確率決定部は、
記録された過去の前記利用の度合いの経時的な推移から推定される将来の利用の度合いに基づいて前記確率を決定する
請求項１から請求項３の何れか一項に記載の交通流制御装置。
【請求項５】
前記選出確率決定部は、複数の前記イベントスポットの順列で示される巡回経路の中から複数選定された推奨巡回経路の候補別の選出確率を決定する
請求項１から請求項４の何れか一項に記載の交通流制御装置。
【請求項６】
請求項１から請求項５の何れか一項に記載の交通流制御装置と、
前記分岐地点に設置され、当該分岐地点に位置する利用者に対し、複数の前記イベントスポットの中から特定のイベントスポットを推奨の移動先として提示する推奨スポット提示装置と、
を備え、
前記推奨スポット提示装置は、決定された前記確率に基づいて、前記特定のイベントスポットを選出して提示する
交通流制御システム。
【請求項７】
利用者の利用対象となるイベントスポットを複数有する対象地域において、各利用者に携帯される携帯型記録装置であって、
前記対象地域のうち少なくとも複数の前記イベントスポット内に含まれる所定位置に対応して複数設置され、当該所定位置に到達した利用者の前記対象地域における移動経路の履歴を示す移動履歴情報を更新する移動履歴更新装置と通信を行う通信部と、
前記移動履歴更新装置から、少なくとも到達した前記所定位置を特定可能な情報を取得して、前記利用者の、前記対象地域における移動経路の履歴を示す移動履歴情報を更新して記録する移動履歴情報記録処理部と、
を備える携帯型記録装置。
【請求項８】
前記通信部は、更に、
複数の前記イベントスポットを移動先として選択可能な分岐地点に設置され、当該分岐地点に位置する利用者に対し、複数の前記イベントスポットの中から特定のイベントスポットを推奨の移動先として提示する推奨スポット提示装置と通信を行い、
前記推奨スポット提示装置に、記録された前記移動履歴情報を出力する移動履歴情報出力処理部を更に備える
請求項７に記載の携帯型記録装置。
【請求項９】
前記推奨の移動先を提示された利用者が前記特定のイベントスポットに移動した場合に、前記推奨スポット提示装置から、当該利用者にとって有利となる特典を示す特典情報を取得して記録する特典情報記録処理部をさらに備える
請求項８に記載の携帯型記録装置。
【請求項１０】
利用者の利用対象となるイベントスポットを複数有する対象地域における交通流を制御する交通流制御方法であって、
前記イベントスポットにおける利用の度合いを示すスポット利用情報を取得するステップと、
利用者の移動手段が切り替わる地点であって複数の前記イベントスポットを移動先として選択可能な分岐地点に位置する利用者に向けての推奨の移動先として前記イベントスポットの各々が選出される確率を、前記スポット利用情報に基づいて決定するステップと、
を有する交通流制御方法。
【請求項１１】
利用者の利用対象となるイベントスポットを複数有する対象地域における交通流を制御する交通流制御装置のコンピュータを、
前記イベントスポットにおける利用の度合いを示すスポット利用情報を取得するスポット利用情報取得手段、
利用者の移動手段が切り替わる地点であって複数の前記イベントスポットを移動先として選択可能な分岐地点に位置する利用者に向けての推奨の移動先として前記イベントスポットの各々が選出される確率を、前記スポット利用情報に基づいて決定する選出確率決定手段、
として機能させるプログラム。
【請求項１２】
利用者の利用対象となるイベントスポットを複数有する対象地域における交通流を制御する交通流制御装置であって、
前記イベントスポットにおける利用の度合いを示すスポット利用情報を取得するスポット利用情報取得部と、
複数の前記イベントスポットを移動先として選択可能な分岐地点に位置する利用者に向けての推奨の移動先として前記イベントスポットの各々が選出される確率を、前記スポット利用情報に基づいて決定する選出確率決定部と、
前記対象地域における前記利用者の各々の移動経路の履歴を示す移動履歴情報を取得する移動履歴情報取得部と、を備え、
前記選出確率決定部は、
更に、前記利用者の前記移動履歴情報に基づいて、前記確率を決定する
交通流制御装置。
【発明の詳細な説明】
【技術分野】
【０００１】
本発明は、交通流制御装置、交通流制御システム、携帯型記録装置、交通流制御方法及びプログラムに関する。
【背景技術】
【０００２】
多数の観光客が訪れる社寺、城、大型商業施設等の観光スポットを複数有する観光エリアにおいては、特定の観光スポットに観光客が集中し、当該観光エリアにおける交通流が阻害される場合がある。そこで、特定の観光スポットにおける混雑が過度とならないように、警察等の自治体系管理者、又は、地元観光系組合による順路規制が実施されている。
【０００３】
一方、交通系ＩＣカードやＧＮＳＳ（Global Navigation Satellite System）機器等から採取される履歴データに基づき、個々の利用者の嗜好性を考慮して、移動時における快適性を担保しつつ対象地域における交通流の過密化を抑制する手段が提案されている（例えば、特許文献１参照）。
【先行技術文献】
【特許文献】
【０００４】
【特許文献１】国際公開第２０１３／１７１７８０号
【発明の概要】
【発明が解決しようとする課題】
【０００５】
上記観光スポットに代表される複数のイベントスポットの利用を目的として観光エリア等の所定の対象地域に訪れる観光客等の利用者の多くは、一般に、その対象地域の道路網や交通事情に関する知識が高くない。このため、上述のような順路規制等、強制的な経路指定が不意に生じた場合、当該利用者に強い不安、不満を抱かせてしまう可能性がある。また、イベントスポット等に到来する利用者の多くは、観光バス、公共交通といった同時点で同位置に到着又は出発する運輸形態を利用するため、利用者の時間的及び空間的な分散を促すのが困難であり、特定のイベントスポット等で混雑状態が続く結果となっている。
【０００６】
本発明の目的は、上記課題に鑑みてなされたものであって、イベントスポットを複数有する対象地域における利用者の満足度を高めながら、当該対象地域における交通流を円滑化できる交通流制御装置、交通流制御システム、携帯型記録装置、交通流制御方法及びプログラムを提供することにある。
【課題を解決するための手段】
【０００７】
本発明の一態様は、利用者（Ｘ）の利用対象となるイベントスポット（Ａ２）を複数有する対象地域（Ａ１）における交通流を制御する交通流制御装置（１）であって、前記イベントスポットにおける利用の度合いを示すスポット利用情報を取得するスポット利用情報取得部（１０）と、複数の前記イベントスポットを移動先として選択可能な分岐地点（Ｊ、Ｐ）に位置する利用者に向けての推奨の移動先として前記イベントスポットの各々が選出される確率を、前記スポット利用情報に基づいて決定する選出確率決定部（１１０）と、を備える交通流制御装置である。
このようにすることで、利用者に向けてのお勧めのイベントスポットとして選出される確率が、各イベントスポットの利用の度合いに応じて分散されるので、利用者の移動先を強制的に規制することなく、各イベントスポットにおける利用の度合いを均すような交通流制御を行うことができる。したがって、利用者の満足度を高めながら、対象地域における交通流を円滑化することができる。
【０００８】
また、本発明の一態様に係る交通流制御装置は、前記対象地域における前記利用者の各々の移動経路の履歴を示す移動履歴情報を取得する移動履歴情報取得部（１１１）を更に備え、前記選出確率決定部は、更に、前記利用者の前記移動履歴情報に基づいて、前記確率を決定する。
このようにすることで、利用者が既に到来したイベントスポット等を参照して、利用者に対し、より適切な案内を提供することができる。
【０００９】
また、本発明の一態様に係る交通流制御装置は、前記確率にしたがって前記推奨の移動先として選出された特定のイベントスポットを示す情報を取得して、当該推奨の移動先を提示された利用者が、当該特定のイベントスポットに移動した場合に、当該利用者にとって有利となる特典を付与する特典付与部（１１２）を更に備える。
このようにすることで、移動先として推奨されたイベントスポットに移動しようとする利用者の意欲を高め、当該利用者が推奨のイベントスポットに理想的に向かう確率が高まるので、より効果的に交通流を制御することができる。
【００１０】
また、本発明の一態様に係る交通流制御装置において、前記スポット利用情報取得部は、前記イベントスポットにおける利用の度合いの経時的な推移を記録し、前記選出確率決定部は、記録された過去の前記利用の度合いの経時的な推移から推定される将来の利用の度合いに基づいて前記確率を決定する。
このようにすることで、選出確率決定部は、利用者がイベントスポットへの移動に要する所要時間経過後の将来の混雑度に基づいて選出確率を決定するので、より精度良く、複数のイベントスポットの混雑度を均すための交通流制御を行うことができる。
【００１１】
また、本発明の一態様に係る交通流制御装置において、前記選出確率決定部は、複数の前記イベントスポットの順列で示される巡回経路の中から複数選定された推奨巡回経路の候補別の選出確率を決定する。
このようにすることで、利用者は、分岐地点において、混雑が回避可能な推奨巡回経路を把握することができる。これにより、利用者は、対象地域における複数のイベントスポットのお勧めの巡り方を知ることができるので、当該複数のイベントスポットを計画的に巡回しやすくなり、利用者の観光の満足度を一層高めることができる。
【００１２】
また、本発明の一態様に係る交通流制御システム（９）は、上述の交通流制御装置と、前記分岐地点に設置され、当該分岐地点に位置する利用者に対し、複数の前記イベントスポットの中から特定のイベントスポットを推奨の移動先として提示する推奨スポット提示装置（２）と、を備え、前記推奨スポット提示装置は、決定された前記確率に基づいて、前記特定のイベントスポットを選出して提示する。
このような交通流制御システムによれば、利用者は、移動先として複数のイベントスポットを選択可能な分岐地点に到達した際に、その場で、その時間帯における推奨のイベントスポットを簡便に把握することができる。したがって、利用者は、予め一連の巡回経路を調べておく必要がなくなり、利用者の負担を軽減することができる。
【００１３】
また、本発明の一態様に係る携帯型記録装置は、利用者の利用対象となるイベントスポットを複数有する対象地域において、各利用者に携帯される携帯型記録装置であって、前記対象地域のうち少なくとも複数の前記イベントスポット内に含まれる所定位置に対応して複数設置され、当該所定位置に到達した利用者の前記対象地域における移動経路の履歴を示す移動履歴情報を更新する移動履歴更新装置（２、２ａ）と通信を行う通信部（３１）と、前記移動履歴更新装置から、少なくとも到達した前記所定位置を特定可能な情報を取得して、前記利用者の、前記対象地域における移動経路の履歴を示す移動履歴情報を更新して記録する移動履歴情報記録処理部（３００ａ）と、を備える。
このような携帯型記録装置によれば、対象地域内における利用者個々の移動履歴を、精度良く、かつ、詳細に把握することができる。これにより、交通流制御システムは、複数の利用者についての移動履歴情報を収集することで、イベントスポット間の移動にかかる平均所要時間、各イベントスポットにおける平均滞在時間等の詳細な情報を把握することができる。
【００１４】
また、本発明の一態様に係る携帯型記録装置において、前記通信部は、更に、複数の前記イベントスポットを移動先として選択可能な分岐地点に設置され、当該分岐地点に位置する利用者に対し、複数の前記イベントスポットの中から特定のイベントスポットを推奨の移動先として提示する推奨スポット提示装置（２）と通信を行い、前記推奨スポット提示装置に、記録された前記移動履歴情報を出力する移動履歴情報出力処理部（３００ｂ）を更に備える。
このようにすることで、推奨スポット提示装置が、移動履歴情報出力処理部より出力された移動履歴情報に基づいて、当該利用者が各イベントスポットにつき到来済みか否かを識別することができる。これにより、利用者に一層適切な案内を提供することができる。
【００１５】
また、本発明の一態様に係る携帯型記録装置は、前記推奨の移動先を提示された利用者が前記特定のイベントスポットに移動した場合に、前記推奨スポット提示装置から、当該利用者にとって有利となる特典を示す特典情報を取得して記録する特典情報記録処理部（３０２ａ）をさらに備える。
このようにすることで、利用者が、提示されたお勧めのイベントスポットを巡った際に与えられる特典が携帯型記録装置に記録されて累積されていくので、利用者が推奨されたイベントスポットの通りに巡ろうとするインセンティブをより効果的に与えることができる。
【００１６】
また、本発明の一態様は、利用者の利用対象となるイベントスポットを複数有する対象地域における交通流を制御する交通流制御方法であって、前記イベントスポットにおける利用の度合いを示すスポット利用情報を取得するステップと、複数の前記イベントスポットを移動先として選択可能な分岐地点に位置する利用者に向けての推奨の移動先として前記イベントスポットの各々が選出される確率を、前記スポット利用情報に基づいて決定するステップと、を有する交通流制御方法である。
【００１７】
また、本発明の一態様は、利用者の利用対象となるイベントスポットを複数有する対象地域における交通流を制御する交通流制御装置のコンピュータを、前記イベントスポットにおける利用の度合いを示すスポット利用情報を取得するスポット利用情報取得手段、複数の前記イベントスポットを移動先として選択可能な分岐地点に位置する利用者に向けての推奨の移動先として前記イベントスポットの各々が選出される確率を、前記スポット利用情報に基づいて決定する選出確率決定手段、として機能させるプログラムである。
【発明の効果】
【００１８】
上述の交通流制御装置、交通流制御システム、携帯型記録装置、交通流制御方法及びプログラムによれば、イベントスポットを複数有する対象地域における利用者の満足度を高めながら、当該対象地域における交通流を円滑化できる。
【図面の簡単な説明】
【００１９】
【図１】第１の実施形態に係る交通流制御システムが制御対象とする対象地域を示す図である。
【図２】第１の実施形態に係る交通流制御システムの全体構成を示す図である。
【図３】第１の実施形態に係る交通流制御装置の機能構成を示す図である。
【図４】第１の実施形態に係る表示付ステーションの外観を示す図である。
【図５】第１の実施形態に係る表示付ステーションの機能構成を示す図である。
【図６】第１の実施形態に係る簡易ステーションの機能構成を示す図である。
【図７】第１の実施形態に係る表示付ステーション及び簡易ステーションの機能を説明する図である。
【図８】第１の実施形態に係る携帯型記録装置の外観を示す図である。
【図９】第１の実施形態に係る携帯型記録装置の機能構成を示す図である。
【図１０】第１の実施形態に係る携帯型記録装置の処理フローを示す図である。
【図１１】第１の実施形態に係る移動履歴情報を示す図である。
【図１２】第１の実施形態に係る推奨イベントスポット情報を示す図である。
【図１３】第１の実施形態に係る特典情報を示す図である。
【図１４】第１の実施形態に係る携帯型記録装置の機能を説明する図である。
【図１５】第１の実施形態に係る表示付ステーションの処理フローを示す図である。
【図１６】第１の実施形態に係るステーション処理部の機能を説明する図である。
【図１７】第１の実施形態に係る交通流制御装置の処理フローを示す図である。
【図１８】第１の実施形態に係る選出確率情報を示す図である。
【図１９】第１の実施形態に係る交通流制御装置の機能を説明する第１の図である。
【図２０】第１の実施形態に係る交通流制御装置の機能を説明する第２の図である。
【図２１】第１の実施形態の変形例に係る交通流制御装置の機能を説明する図である。
【発明を実施するための形態】
【００２０】
＜第１の実施形態＞
以下、第１の実施形態に係る交通流制御システムについて、図１〜図２０を参照ながら説明する。
【００２１】
（全体構成）
図１は、第１の実施形態に係る交通流制御システムが制御対象とする対象地域を示す図である。
第１の実施形態に係る交通流制御システム９は、図１に示すような観光エリアＡ１（対象地域）における交通流を制御対象とする。本実施形態において観光エリアＡ１は、多くの観光スポットを有する特定の区域であって、例えば、市町村区の中の一区域に相当するものである。
図１に示すように、観光エリアＡ１は、各地に散在し、利用者Ｘの利用対象（観光対象）となる複数のイベントスポットＡ２と、当該複数のイベントスポットＡ２間の移動を可能とする各種交通手段と、観光エリアＡ１に到来した利用者Ｘの所有車両（普通車、二輪車等）を駐車可能な駐車場Ｐと、を有している。
ここで、イベントスポットＡ２は、例えば、社寺、城等の歴史的建造物、有名飲食店、大型商業施設、又は、テーマパーク等であって、利用者Ｘが利用（観光）の対象とする観光スポットである。また、「各種交通手段」とは、具体的には、各イベントスポットＡ２間に敷設された道路Ｎ（一般道路、遊歩道等）の他、観光エリアＡ１内外を巡る公共交通機関（鉄道、路線バス等）である。即ち、利用者Ｘは、複数のイベントスポットＡ２間を、徒歩、乗り捨て可能な自転車（専用小型車両等）、鉄道、路線バス等、種々の経路及び交通手段を通じて自由に巡ることができる。
【００２２】
利用者Ｘ自身が所有する所有車両により観光エリアＡ１に進入した利用者Ｘは、観光エリアＡ１内に設けられた駐車場Ｐに所有車両を駐車し、そこから徒歩等、又は、公共交通機関（鉄道、路線バス等）を通じて、目的とするイベントスポットＡ２にまで移動する。
また、上記交通手段には、道路Ｎにおける分岐路、鉄道路線における駅舎、路線バスにおけるバス停留所等の交通結節点Ｊが存在する。交通結節点Ｊ及び駐車場Ｐは、その場所に到達した利用者Ｘが、複数のイベントスポットＡ２を移動先として選択可能な分岐地点である。
【００２３】
観光エリアＡ１に到来した利用者Ｘは、携帯型記録装置３（後述）を携帯しながら、観光エリアＡ１内の各イベントスポットＡ２を巡る。携帯型記録装置３は、例えば、観光エリアＡ１内で利用者Ｘが最初に到達した駐車場Ｐ又は交通結節点Ｊ（駅、バス停留所等）で配布される。
【００２４】
図１に示すように、観光エリアＡ１内の交通結節点Ｊには、表示付ステーション２が設置されている。表示付ステーション２は、交通結節点Ｊ（又は駐車場Ｐ）に位置する利用者Ｘに対し、複数のイベントスポットＡ２の中から特定のイベントスポットＡ２を推奨の移動先として提示する「推奨スポット提示装置」としての機能を有している。
また、観光エリアＡ１における複数の所定位置、即ち、各イベントスポットＡ２内、及び、道路Ｎ上の各所に対応して、複数の簡易ステーション２ａが設置されている。簡易ステーション２ａ及び表示付ステーション２は、利用者Ｘの移動履歴情報（後述）を更新する「移動履歴更新装置」としての機能を有している。具体的には、簡易ステーション２ａ及び表示付ステーション２は、当該簡易ステーション２ａ、表示付ステーション２が設置された上記所定位置に到達した利用者Ｘが携帯する携帯型記録装置３と無線通信を行い、当該所定位置を特定可能な情報（ステーションＩＤ）、及び、当該所定位置に到達した時刻（現在時刻）等を通知する。
表示付ステーション２、簡易ステーション２ａ及び携帯型記録装置３の具体的な機能構成については後述する。
【００２５】
また、図１に示すように、観光エリアＡ１には、複数の混雑観測装置Ｖが設けられている。混雑観測装置Ｖは、複数のイベントスポットＡ２に対応して設置され、各イベントスポットＡ２における利用者の利用の度合い（即ち、各イベントスポットＡ２の混雑度）を把握するための観測情報を取得する。
混雑観測装置Ｖは、例えば、各イベントスポットＡ２における混雑度を把握可能な観測情報（情景画像）を取得する監視カメラである。このような観測情報は、所定の通信回線（有線通信回線Ｌ（図２））を通じて、逐次、遠隔地に設置された交通流制御装置１に出力される。
【００２６】
交通流制御装置１は、観光エリアＡ１における交通流を制御する。以下、交通流制御装置１の機能について詳細に説明する。
【００２７】
図２は、第１の実施形態に係る交通流制御システムの全体構成を示す図である。
図２に示すように、交通流制御システム９は、交通流制御装置１と、複数の表示付ステーション２と、複数の簡易ステーション２ａと、利用者Ｘに携帯される携帯型記録装置３と、を備えている。
交通流制御装置１と、表示付ステーション２（簡易ステーション２ａ）とは、観光エリアＡ１内に設けられた有線通信回線Ｌを通じて互いに通信可能とされている。観光エリアＡ１内の各所に設けられた混雑観測装置Ｖも、有線通信網Ｌに接続されており、交通流制御装置１は、当該有線通信網Ｌを通じて、混雑観測装置Ｖが取得した観測情報（情景画像）を取得する。
また、表示付ステーション２（及び簡易ステーション２ａ）は、利用者Ｘがその通信可能エリアに入った際に、当該利用者Ｘが携帯する携帯型記録装置３と無線通信を行う。
【００２８】
なお、本実施形態において、交通流制御装置１、表示付ステーション２（簡易ステーション２ａ）及び混雑観測装置Ｖは、有線通信回線Ｌを通じて通信可能とされているものとしたが、他の実施形態においてはこれに限定されることはなく、例えば、高速無線通信回線等を通じて通信可能とされる態様であってもよい。
【００２９】
（交通流制御装置の機能構成）
図３は、第１の実施形態に係る交通流制御装置の機能構成を示す図である。
図３に示すように、交通流制御装置１は、スポット利用情報取得部１０と、交通流制御処理部１１と、有線通信部１２と、記録媒体１３と、を備えている。
【００３０】
スポット利用情報取得部１０は、現時点の各イベントスポットＡ２における利用の度合い（混雑度）を示すスポット利用情報を取得する。具体的には、スポット利用情報取得部１０は、観光エリアＡ１の各所に設置された混雑観測装置Ｖを通じて取得した観測情報（情景画像）を元に、各イベントスポットＡ２における混雑度を示すスポット利用情報を取得する。スポット利用情報取得部１０は、取得したスポット利用情報を逐次記録媒体１３に蓄積し、各イベントスポットＡ２における混雑度の経時的な推移を記録する。
【００３１】
交通流制御処理部１１は、表示付ステーション２（図１、図２）と連携して観光エリアＡ１における利用者Ｘの交通流を制御するための主要な処理を実行する。
具体的には、交通流制御処理部１１は、有線通信部１２（及び有線通信回線Ｌ）を通じて、表示付ステーション２から、記録装置ＩＤ、ステーションＩＤ、移動履歴情報、推奨イベントスポット情報及び特典情報を取得する。また、交通流制御処理部１１は、表示付ステーション２に選出確率情報及び特典情報を出力する。
ここで、記録装置ＩＤは、利用者Ｘに携帯される携帯型記録装置３を識別するために、予め携帯型記録装置３の各々に固有に割り振られた識別子である。また、ステーションＩＤは、表示付ステーション２及び簡易ステーション２ａを識別するために、予め表示付ステーション２及び簡易ステーション２ａの各々に固有に割り振られた識別子である。なお、その他の各種情報の詳細については後述する。
交通流制御処理部１１は、選出確率決定部１１０と、移動履歴情報取得部１１１と、特典付与部１１２と、を有している。
【００３２】
有線通信部１２は、有線通信回線Ｌ（図２）を通じて通信を行うための通信インターフェイスである。交通流制御装置１は、有線通信回線Ｌ及び有線通信部１２を介して、観光エリアＡ１の各所（交通結節点Ｊ等）に設置された表示付ステーション２と通信を行う。
【００３３】
記録媒体１３には、スポット利用情報取得部１０が取得したスポット利用情報（各イベントスポットＡ２の混雑度）の推移が記録される。
また、記録媒体１３には、携帯型記録装置３から取得した各利用者Ｘの移動履歴情報が、携帯型記録装置３を識別する収集される。
【００３４】
次に、交通流制御処理部１１が有する各機能部（選出確率決定部１１０、移動履歴情報取得部１１１及び特典付与部１１２）について説明する。
選出確率決定部１１０は、スポット利用情報に基づいて、イベントスポットＡ２の各々が、交通結節点Ｊに位置する利用者Ｘに向けての推奨の移動先として選出される確率（選出確率）を決定し、イベントスポットＡ２別の選出確率を示す選出確率情報を出力する。ここで、交通結節点Ｊに設置された表示付ステーション２は、複数のイベントスポットＡ２の中から特定のイベントスポットＡ２を推奨の移動先として選出するとともに、所定の表示画面（表示部２０（図４））を通じてこれを提示する。即ち、選出確率とは、各イベントスポットＡ２が表示付ステーション２によって推奨の移動先として選出（提示）される確率である。
移動履歴情報取得部１１１は、携帯型記録装置３に記録された情報であって、利用者Ｘの、観光エリアＡ２における移動経路の履歴を示す移動履歴情報を取得する。
特典付与部１１２は、選出確率決定部１１０により決定された選出確率にしたがって、推奨の移動先として提示された特定のイベントスポットＡ２を示す情報（後述する推奨イベントスポット情報）を取得して、利用者Ｘが、当該特定のイベントスポットＡ２に移動した場合に、当該利用者Ｘにとって有利となる特典を付与する処理を行う。また、特典付与部１１２は、当該特典付与の処理後の特典状態（特典ポイント、クラスポイント）を示す特典情報を出力する。
【００３５】
（表示付ステーション及び簡易ステーションの機能構成）
図４は、第１の実施形態に係る表示付ステーションの外観を示す図である。
図４に示すように、本実施形態に係る表示付ステーション２は、観光エリアＡ１の駐車場Ｐ、駅舎、バス停留所等の交通結節点Ｊに設置された公共の情報表示装置（デジタルサイネージ）である。
表示付ステーション２は、液晶ディスプレイ、有機ＥＬディスプレイ等である表示部２０と、表示部２０に一体に形成されたタッチセンサである操作部２１と、を備えている。利用者Ｘは、表示部２０に表示された画像情報を視認しながら操作部２１を通じて各種操作を行う。
また、表示付ステーション２は、内部に備える無線通信手段（記録装置用通信部２４）を通じて、利用者Ｘが携帯する携帯型記録装置３と無線通信を行う。
【００３６】
図５は、第１の実施形態に係る表示付ステーションの機能構成を示す図である。
図５に示すように、表示付ステーション２は、表示部２０と、操作部２１と、ステーション処理部２２と、有線通信部２３と、記録装置用通信部２４と、人感センサ２５と、を備えている。表示部２０、操作部２１及び記録装置用通信部２４については図４で説明したとおりである。
【００３７】
ステーション処理部２２は、表示付ステーション２の動作全体を司る処理部である。具体的には、携帯型記録装置３に記憶された各種情報を吸い上げて交通流制御装置１に出力するとともに、交通流制御装置１の分析処理によって得られた情報（選出確率情報）に基づいて、推奨の移動先として特定のイベントスポットＡ２の選出及びその提示を行う。
ステーション処理部２２は、ルーレット処理部２２０と、分析依頼処理部２２１と、特典通知処理部２２２と、移動履歴情報更新部２２３と、を備えている。
【００３８】
ルーレット処理部２２０は、交通流制御装置１（選出確率決定部１１０（図３））から取得した選出確率情報にしたがって、複数のイベントスポットＡ２の中から特定のイベントスポットＡ２を選出する処理を行う。また、ルーレット処理部２２０は、選出された特定のイベントスポットＡ２を表示部２０に表示して、推奨の移動先として利用者Ｘに通知する。更に、ルーレット処理部２２０は、選出された特定のイベントスポットＡ２、及び、現在地（利用者Ｘが位置する交通結節点Ｊ）から当該特定のイベントスポットＡ２までの推奨順路を示す推奨イベントスポット情報を携帯型記録装置３に出力する。これにより、推奨の移動先として新たに選出されたイベントスポットＡ２を示す推奨イベントスポット情報が携帯型記録装置３に記録される。
【００３９】
分析依頼処理部２２１は、交通流制御装置１に対し、無線通信を通じて携帯型記録装置３から取得した各種情報に基づく分析依頼を行う。具体的には、分析依頼処理部２２１は、携帯型記録装置３に記録された記録装置ＩＤ、移動履歴情報、推奨イベントスポット情報及び特典情報を取得し、これら各種情報（データセット）に自装置のステーションＩＤを付加して、交通流制御装置１に出力する。
【００４０】
特典通知処理部２２２は、交通流制御装置１（特典付与部１１２（図３））から取得した新たな特典情報（特典付与後の特典情報）について、表示部２０を通じて利用者Ｘに通知するとともに、当該新たな特典情報を携帯型記録装置３に出力する。これにより、新たな特典が反映された特典情報が携帯型記録装置３に記録される。
【００４１】
移動履歴情報更新部２２３は、携帯型記録装置３に記録された移動履歴情報を更新する処理を行う。具体的には、移動履歴情報更新部２２３は、利用者Ｘが現在位置（表示付ステーション２）に移動（到達）したことを特定するための情報（即ち、自装置に記録されたステーションＩＤ）、現在時刻、及び、ステーション属性を携帯型記録装置３に出力する。なお、ステーション属性とは、表示付ステーション２及び簡易ステーション２ａの各々が、「表示付ステーション」に属するか、「簡易ステーション」に属するか、を識別するための識別情報である。
【００４２】
有線通信部２３は、有線通信回線Ｌ（図２）を通じて通信を行うための通信インターフェイスである。表示付ステーション２は、有線通信回線Ｌ及び有線通信部２３を介して、遠隔地に設置された交通流制御装置１と通信を行う。
【００４３】
記録装置用通信部２４は、利用者Ｘが携帯する携帯型記録装置３と無線通信を行うための無線通信インターフェイスである。記録装置用通信部２４は、予め規定された所定の通信可能エリア内（記録装置用通信部２４から数メートルの範囲内）に入った携帯型記録装置３と自動的に無線通信を行う。
【００４４】
人感センサ２５は、表示付ステーション２に利用者Ｘが所定距離範囲内に近づいた際に当該利用者Ｘの存在を検知して、検知信号を出力する。本実施形態に係るステーション処理部２２は、人感センサ２５からの上記検知信号をトリガとして、表示部２０の点灯、携帯型記録装置３から各種情報（記録装置ＩＤ、移動履歴情報、推奨イベントスポット情報及び特典情報）の取得処理等を開始する。このようにすることで、表示付ステーション２の待機中の省電力化を図ることができる。
なお、他の実施形態に係る表示付ステーション２はこの態様に限定されず、例えば、記録装置用通信部２４において、携帯型記録装置３との無線通信が確立されたことをトリガに、上記各種処理を開始するものとしてもよい。
【００４５】
図６は、第１の実施形態に係る簡易ステーションの機能構成を示す図である。
図６に示すように、簡易ステーション２ａは、ステーション処理部２２ａと、記録装置用通信部２４と、を備えている。また、ステーション処理部２２ａは、表示付ステーション２と同様の移動履歴情報更新部２２３を備えている。
即ち、簡易ステーション２ａは、所定の通信可能エリア内に入った携帯型記録装置３に対し、ステーションＩＤ、現在時刻、ステーション属性を出力し、これらの情報をもって携帯型記録装置３に記録された移動履歴情報を更新する。
【００４６】
図７は、第１の実施形態に係る表示付ステーション及び簡易ステーションの機能を説明する図である。
図７（ａ）は、表示付ステーション２、簡易ステーション２ａの移動履歴情報更新部２２３が出力する無線信号（同報波Ｗ１）を示している。
図７（ａ）に示すように、移動履歴情報更新部２２３は、同報波Ｗ１を一定周期Δｔ（例えば、Δｔ＝１０秒）で発信する。同報波Ｗ１には、当該無線信号が「同報波」であることを識別するための同報波識別子と、同報波Ｗ１を発信する表示付ステーション２又は簡易ステーション２ａの固有のステーションＩＤと、現在時刻と、ステーション属性と、が含まれる。
利用者Ｘが観光エリアＡ１内を巡回（移動）している間に、表示付ステーション２又は簡易ステーション２ａの通信可能エリア内に入ると、携帯する携帯型記録装置３がこの同報波Ｗ１を受信して、自動的に移動履歴情報を更新する。表示付ステーション２及び簡易ステーション２ａは、その通信可能エリア内に入った全ての携帯型記録装置３に向けて同報波Ｗ１を発信する。
【００４７】
図７（ｂ）は、表示付ステーション２が特定の携帯型記録装置３のみに向けて発信する無線信号（特定波Ｗ２）を示している。
図７（ｂ）に示すように、特定波Ｗ２は、表示付ステーション２が携帯型記録装置３から所定の送信信号（記録装置送信波Ｗａ）を受け付けた際に、表示付ステーション２から当該携帯型記録装置３のみに向けて返送される。特定波Ｗ２には、当該無線信号が「特定波」であることを識別するための特定波識別子と、特定波Ｗ２の返送先を特定するための記録装置ＩＤと、ルーレット処理部２２０（図５）が出力した推奨イベントスポット情報と、特典通知処理部２２２（図５）が出力した特典情報と、が含まれる。
なお、表示付ステーション２は、同報波Ｗ１の発信と特定波Ｗ２の発信とが重なる場合には、同報波Ｗ１を優先して発信する。
【００４８】
（携帯型記録装置の機能構成）
図８は、第１の実施形態に係る携帯型記録装置の外観を示す図である。
図８に示すように、携帯型記録装置３は、利用者Ｘが携帯可能なサイズに形成された記録装置である。携帯型記録装置３は、内部に備える無線通信手段（ステーション用通信部３１（図９））を通じて、観光エリアＡ１内に設置された表示付ステーション２及び簡易ステーション２ａと無線通信を行う。
なお、本実施形態に係る携帯型記録装置３は、交通流制御システム９専用の携帯型記録装置として、例えば、観光エリアＡ１内で各利用者Ｘに配布されるものとして説明したが、他の実施形態においてはこの態様に限定されない。例えば、他の実施形態に係る携帯型記録装置３は、利用者Ｘ自身が所有する携帯端末装置（スマートフォン等）であってもよい。また、この場合において、上記携帯端末装置が予め用意された専用のプログラム（アプリケーション）を実行することで、本実施形態に係る携帯型記録装置３の機能を発揮する態様であってもよい。
【００４９】
図９は、第１の実施形態に係る携帯型記録装置の機能構成を示す図である。
図９に示すように、携帯型記録装置３は、記録・出力処理部３０と、ステーション用通信部３１と、記録媒体３２ａ、３２ｂ、３２ｃと、を備えている。
記録・出力処理部３０は、表示付ステーション２（又は簡易ステーション２ａ）から取得した各種情報を記録媒体３２ａ、３２ｂ、３２ｃの各々に記録する処理、及び、記録媒体３２ａ、３２ｂ、３２ｃの各々に記録された各種情報を読み出して、表示付ステーション２（又は簡易ステーション２ａ）に出力する処理を行う。
記録・出力処理部３０は、移動履歴情報記録処理部３００ａと、移動履歴情報出力処理部３００ｂと、推奨イベントスポット情報記録処理部３０１ａと、推奨イベントスポット情報出力処理部３０１ｂと、特典情報記録処理部３０２ａと、特典情報出力処理部３０２ｂと、を備えている。
【００５０】
移動履歴情報記録処理部３００ａは、表示付ステーション２又は簡易ステーション２ａから、ステーションＩＤ、現在時刻、及び、ステーション属性を取得するとともに、記録媒体３２ａに記録された移動履歴情報にこれらの情報を追加して更新する。また、移動履歴情報出力処理部３００ｂは、記録媒体３２ａに記録され、蓄積された移動履歴情報を読み出して表示付ステーション２に出力する。
推奨イベントスポット情報記録処理部３０１ａは、表示付ステーション２から、新たな推奨イベントスポット情報を取得するとともに、これを記録媒体３２ｂに記録する。また、推奨イベントスポット情報出力処理部３０１ｂは、記録媒体３２ｂに記録された推奨イベントスポット情報を読み出して表示付ステーション２に出力する。
特典情報記録処理部３０２ａは、表示付ステーション２から、新たな特典情報を取得するとともに、これを記録媒体３２ｃに記録する。また、特典情報出力処理部３０２ｂは、記録媒体３２ｃに記録された特典情報を読み出して表示付ステーション２に出力する。
なお、記録・出力処理部３０は、表示付ステーション２に移動履歴情報、推奨イベントスポット情報及び特典情報を出力する際には、自装置固有の記録装置ＩＤを付加して出力する。
【００５１】
（交通流制御システムの処理の流れ）
次に、第１の実施形態に係る交通流制御システム９全体の処理の流れについて、順を追って説明する。
【００５２】
図１０は、第１の実施形態に係る携帯型記録装置の処理フローを示す図である。
また、図１１は、第１の実施形態に係る移動履歴情報を示す図である。
また、図１２は、第１の実施形態に係る推奨イベントスポット情報を示す図である。
また、図１３は、第１の実施形態に係る特典情報を示す図である。
また、図１４は、第１の実施形態に係る携帯型記録装置の機能を説明する図である。
以下、図９及び図１０〜図１４を参照しながら、携帯型記録装置の処理フローについて詳細に説明する。
【００５３】
図１０に示す処理フローは、利用者Ｘが携帯型記録装置３を携帯しながら観光エリアＡ１内を移動している段階における携帯型記録装置３の処理の流れを示している。
携帯型記録装置３の記録・出力処理部３０は、まず、同報波Ｗ１（図７（ａ））の受信を待ち受けている（ステップＳ０１：ＮＯ）。
【００５４】
記録・出力処理部３０は、同報波Ｗ１の受信があった場合には（ステップＳ０１：ＹＥＳ）、記録媒体３２ａに記録された移動履歴情報を更新する処理を行う（ステップＳ０２）。
【００５５】
ここで、移動履歴情報は、例えば、図１１に示すような態様で記録媒体３２ａに記録されている。
即ち、図１１に示すように、移動履歴情報には、記録媒体３２ａのレコード番地別に、ステーションＩＤ及び更新された時刻（取得した現在時刻）が対応付けて記録されている。移動履歴情報記録処理部３００ａは、同報波Ｗ１を受信して取得したステーションＩＤ及び現在時刻を新たなレコード番地に記録して、移動履歴情報を更新する。
【００５６】
なお、移動履歴情報記録処理部３００ａは、同一のステーションＩＤについての同報波Ｗ１を連続して複数回受信した場合は、一回目（最初）の受信については、現レコード番地（例えば、＃００００）に記録する。そして、二回目以降の受信については、ステーションＩＤが変化しない限り、次のレコード番地（＃０００１）への記録・上書きを続ける。このようにすることで、移動履歴情報には、あるステーションＩＤを最初に受信した時刻と、同ステーションＩＤを最後に受信した時刻が記録される。したがって、記録媒体３２ａの使用容量を節約しながら、あるステーションＩＤに対応する観光エリアＡ１内の所定位置における利用者Ｘの滞在時間を把握することができる。
【００５７】
次に、図１０において、記録・出力処理部３０は、受信した同報波Ｗ１に含まれるステーション属性を参照して、当該同報波Ｗ１の発信元が「表示付ステーション」であるか否かを判定する（ステップＳ０３）。
同報波Ｗ１の発信元が「表示付ステーション」ではなく「簡易ステーション」であった場合には（ステップＳ０３：ＮＯ）、記録・出力処理部３０は、処理を終了し、同報波Ｗ１の待ち受け状態（ステップＳ０１）に復帰する。
一方、同報波Ｗ１の発信元が「表示付ステーション」であった場合には（ステップＳ０３：ＹＥＳ）、記録・出力処理部３０は、分析依頼要求処理を行う（ステップＳ０４）。ここで、移動履歴情報出力処理部３００ｂは、これまでに蓄積された移動履歴情報を記録媒体３２ａから読み出して、表示付ステーション２に出力する。また、推奨イベントスポット情報出力処理部３０１ｂは、記録媒体３２ｂに記録された推奨イベントスポット情報を読み出して、表示付ステーション２に出力する。更に、特典情報出力処理部３０２ｂは、記録媒体３２ｃに記録された特典情報を読み出して、表示付ステーション２に出力する。
【００５８】
ここで、推奨イベントスポット情報は、例えば、図１２に示すような態様で記録媒体３２ｂに記録されている。
即ち、図１２に示すように、推奨イベントスポット情報には、推奨の移動先として提示されたイベントスポットＡ２内に設置された簡易ステーション２ａ（又は表示付ステーション２）に対応するステーションＩＤ（例えば、“０３”）と、当該イベントスポットＡ２における混雑緩和のために予め規定された理想とする時間帯（理想滞在時間帯）と、が対応付けられて記録されている。
また、推奨イベントスポット情報には、利用者Ｘの現在位置（交通結節点Ｊ）から推奨のイベントスポットＡ２までの間（道路Ｎ等）に設置された簡易ステーション２ａ（又は表示付ステーション２）に対応するステーションＩＤ（例えば、“０１”、“０２”）と、各簡易ステーション２ａにおける理想滞在時間帯と、が記録媒体３２ｂのレコード番地別に記録されている。
【００５９】
また、特典情報は、例えば、図１３に示すような態様で記録媒体３２ｃに記憶されている。
即ち、図１３に示すように、特典情報には、「累計特典ポイント」及び「クラスポイント」の２種類の情報が含まれる。累計特典ポイントは、これまでに利用者ＸがイベントポイントＡ２に到達するごとに加算される特典ポイントの累計値である。なお、特典ポイントは、イベントポイントＡ２別に予め規定されているものとする。クラスポイントは、利用者Ｘの「協力度」に基づいて、利用者Ｘ別に設定される値である。ここで、協力度とは、利用者Ｘが、推奨の移動先として提示されたイベントスポットＡ２に、理想的に移動したか否かの度合いである。より具体的には、協力度は、交通流制御装置１において、移動履歴情報（図１１）と、推奨イベントスポット情報（図１２）との対比（合致度）によって算出される。
【００６０】
図１４に示すように、記録・出力処理部３０は、分析依頼要求処理（ステップＳ０４）において、記録されている移動履歴情報（図１１）、推奨イベントスポット情報（図１２）、特典情報（図１３）及び自装置固有の記録装置ＩＤをデータセット化し、各種情報を含む記録装置送信波Ｗａを表示付ステーション２に発信する。なお、表示付ステーション２は、記録装置送信波Ｗａの受信に対応して、当該記録装置送信波Ｗａの発信元である携帯型記録装置３に特定波Ｗ２を返送する（図７（ｂ）参照）。
【００６１】
次に、図１０において、記録・出力処理部３０は、表示付ステーション２から返送された特定波Ｗ２に基づいて、分析結果受領処理を行う（ステップＳ０５）。
ここで、推奨イベントスポット情報記録処理部３０１ａは、返送された特定波Ｗ２から、新たな推奨イベントスポット情報（新たに選出されたイベントスポットＡ２に対応する推奨イベントスポット情報）を取得して、記録媒体３２ｂに記録する。
また、特典情報記録処理部３０２ａは、返送された特定波Ｗ２から、新たな特典情報（新たな特典ポイント、クラスポイントに更新された特典情報）を取得して、記録媒体３２ｃに記録する。
なお、この際、記録・出力処理部３０は、表示付ステーション２から受信した信号が、同報波識別子を有するか、特定波識別子を有するか（図７（ａ）、（ｂ）参照）、を判定することによって、当該受信した信号が特定波である場合に、上記分析結果受領処理を行う。
【００６２】
図１５は、第１の実施形態に係る表示付ステーションの処理フローを示す図である。
また、図１６は、第１の実施形態に係るステーション処理部の機能を説明する図である。
以下、図５、図１５及び図１６を参照しながら、表示付ステーション２の処理フローについて詳細に説明する。
【００６３】
図１５に示す表示付ステーション２の処理フローは、人感センサ２５（図５）が、表示付ステーション２に近づいた利用者Ｘの存在を検知した後の処理フローである。なお、移動履歴情報更新部２２３（図５）による同報波Ｗ１の発信は、図１５に示す処理フローと並列して、別途、定常的に行われている。
表示付ステーション２のステーション処理部２２は、まず、利用者Ｘが携帯する携帯型記録装置３から記録装置送信波Ｗａ（図１４）の受信を待ち受けている（ステップＳ１１：ＮＯ）。
ステーション処理部２２は、記録装置送信波Ｗａの受信があった場合には（ステップＳ１１：ＹＥＳ）、交通流制御装置１に対する分析依頼処理を行う（ステップＳ１２）。
ここで、分析依頼処理部２２１は、受信した記録装置送信波Ｗａから記録装置ＩＤ、移動履歴情報、推奨イベントスポット情報及び特典情報を取得して、これらの各種情報に、更に、自装置固有のステーションＩＤを付加して交通流制御装置１に出力する。
【００６４】
次に、ステーション処理部２２は、交通流制御装置１に出力した各種情報に基づいて得られた分析結果を当該交通流制御装置１から受領する処理を行う（ステップＳ１３）。
ここで、ステーション処理部２２は、交通流制御装置１から、当該交通流制御装置１における分析処理によって得られた選出確率情報及び特典情報を取得する。なお、選出確率情報の具体的な内容及びその決定の仕方については後述する。
【００６５】
次に、ステーション処理部２２は、受領した選出確率情報に基づいて、新たな移動先として推奨するイベントスポットＡ２を選出する処理を行う（ステップＳ１４）。
ここで、ステーション処理部２２は、例えば、図１６に示すような提示画面を表示部２０に表示する。
具体的には、ステーション処理部２２は、まず、初期画面で、各イベントスポットＡ２別の混雑状況を利用者Ｘに提示する。この際、ステーション処理部２２は、例えば、混雑観測装置Ｖによって取得された観測情報（情景画像）を表示部２０に表示する。
次に、ステーション処理部２２のルーレット処理部２２０は、移動先の候補となる複数のイベントスポットＡ２を提示した移動先選出画面を表示する。ここで、ルーレット処理部２２０は、提示された複数のイベントスポットＡ２を順にハイライトするなどして、当て物ゲーム風の演出を行う。ルーレット処理部２２０は、操作部２１を通じた利用者Ｘの入力操作（例えば、表示画面上に表示された「ストップ」ボタンのタッチ）に応じて、選出確率情報に示される選出確率で、一のイベントスポットＡ２を選出する。
最後に、ステーション処理部２２は、選出されたイベントスポットＡ２が提示された選出結果画面を表示する。この際、ステーション処理部２２は、利用者Ｘの現在位置（即ち、表示付ステーション２の設置位置）から移動先として選出されたイベントスポットＡ２までの経路（推奨経路）を示す地図情報を提示する。
【００６６】
また、特典通知処理部２２２は、選出結果画面において、交通流制御装置１から取得した新たな特典情報に基づいて、新たに加算された特典ポイントを表示部２０に表示する。これにより、利用者Ｘが、イベントスポットＡ２を巡ったことにより新たな特典が付与されたことを認識することができる。
また、特典通知処理部２２２は、利用者Ｘのクラスポイントに応じて、追加の特典要素を提示する。例えば、特典通知処理部２２２は、利用者Ｘのクラスポイントが所定以上となっている場合には、選出された次のイベントスポットＡ２（或いは、その道中）で利用可能なサービス（例えば、お茶、食事、お土産品の無料・割引サービス等）を提示する。
【００６７】
図１５において、次に、ステーション処理部２２は、選出されたイベントスポットＡ２に応じた分析結果発信処理を行う（ステップＳ１５）。
ここで、ルーレット処理部２２０は、ステップＳ１４で新たに選出されたイベントスポットＡ２に応じた推奨イベントスポット情報を携帯型記録装置３に出力する。また、特典通知処理部２２２は、交通流制御装置１から取得した新たな特典情報を携帯型記録装置３に出力する。この際、ステーション処理部２２は、推奨イベントスポット情報、特典情報、及び、出力の対象とする携帯型記録装置３を特定するための記録装置ＩＤをデータセット化し、各種情報を含む特定波Ｗ２を携帯型記録装置３に発信する（図７（ｂ）参照）。
ステップＳ１５で出力された推奨イベントスポット情報及び特典情報は、携帯型記録装置３において直ちに記録される（ステップＳ０５（図１０）参照）。
【００６８】
図１７は、第１の実施形態に係る交通流制御装置の処理フローを示す図である。
また、図１８は、第１の実施形態に係る選出確率情報を示す図である。
また、図１９、図２０は、第１の実施形態に係る交通流制御装置の機能を説明する第１の図、第２の図である。
以下、図１７〜図２０及び図３を参照しながら、交通流制御装置１の処理フローについて詳細に説明する。
【００６９】
図１７に示すように、まず、交通流制御装置１の交通流制御処理部１１は、表示付ステーション２からの分析依頼の入力を待ち受けている（ステップＳ２１：ＮＯ）。
交通流制御処理部１１は、表示付ステーション２から分析依頼（ステップＳ１２）があった場合には（ステップＳ２１：ＹＥＳ）、移動履歴情報抽出処理を行う（ステップＳ２２）。
ここで、移動履歴情報取得部１１１は、表示付ステーション２からの分析依頼を通じて、携帯型記録装置３に記録された移動履歴情報及び推奨イベントスポット情報を取得する。また、移動履歴情報取得部１１１は、取得した移動履歴情報を、記録装置ＩＤと対応付けて記録媒体１３に記録して蓄積する。
【００７０】
次に、交通流制御処理部１１は、取得された移動履歴情報及び推奨イベントスポット情報に基づいて、特典付与処理を行う（ステップＳ２３）。
ここで、特典付与部１１２は、移動履歴情報（図１１）を参照し、利用者Ｘが到達したイベントスポットＡ２を抽出する。また、特典付与部１１２は、表示付ステーション２を通じて携帯型記録装置３に記録された特典情報を取得するとともに、当該特典情報の特典ポイントに、利用者Ｘが到達したイベントスポットＡ２に応じた特典ポイントを加算する。
【００７１】
また、特典付与部１１２は、表示付ステーション２を通じて取得した移動履歴情報（図１１）と、推奨イベントスポット情報（図１２）と、を対比する処理を行うとともに、その結果に応じたクラスポイントを決定する。具体的には、特典付与部１１２は、移動履歴情報に記録されたステーションＩＤの記録順序（例えば、“０１”、“０２”、“０３”の順（図１１））が、推奨イベントスポット情報に記録されるステーションＩＤの順序（“０１”、“０２”、“０３”の順（図１２））と一致しているか否かを判定する。
更に、特典付与部１１２は、移動履歴情報において、各ステーションＩＤが最初に記録された時刻及び最後に記録された時刻が、推奨イベントスポット情報に記録された理想滞在時間帯の範囲内に収まっているか否かを判定する。
そして、特典付与部１１２は、ステーションＩＤの順序の合致度と、各ステーションＩＤの受信位置における滞在時間の合致度と、の合計で求められる「協力度」に応じたクラスポイントを付与する。
【００７２】
次に、交通流制御処理部１１は、スポット利用情報取得部１０が取得したイベントスポットＡ２別の混雑度に基づいて、選出確率情報を決定する処理を行う（ステップＳ２４）。
ここで、スポット利用情報取得部１０は、イベントスポットＡ２別の過去から現在にかけての混雑度の経時的な推移（混雑履歴情報）を記録媒体１３に逐次記録して蓄積している。選出確率決定部１１０は、記録媒体１３に蓄積された混雑履歴情報を参照して、イベントスポットＡ２別の選出確率を決定する。
【００７３】
選出確率情報は、例えば、図１８に示すような態様で表される。具体的には、選出確率情報は、複数のイベントスポットＡ２の各々に固有に割り振られるイベントスポットＩＤと、当該イベントスポットＩＤに対応付けられた選出確率と、によって規定される。
【００７４】
選出確率決定部１１０は、まず、移動履歴情報取得部１１１が取得した移動履歴情報に記録されたステーションＩＤを参照して、利用者Ｘが既に到来済みのイベントスポットＡ２を特定し、当該到来済みのイベントスポットＡ２についての選出確率を“０”と決定する。このようにすることで、推奨の移動先の選出時（ステップＳ１４）において、利用者Ｘが既に到来したイベントスポットＡ２が再度選出されることを回避することができ、利用者Ｘに対し、より適切な案内を提供することができる。
【００７５】
次に、選出確率決定部１１０は、利用者Ｘが未だ到来していないイベントスポットＡ２につき、記録媒体１３に蓄積された混雑履歴情報によって推定される将来の混雑度に基づいて、当該イベントスポットＡ２別の選出確率を決定する。具体的には、選出確率決定部１１０は、ここで、交通流制御装置１のオペレータによって予め設定された選出重み付け値を参照する。
【００７６】
交通流制御処理部１１は、図１９に示すような、交通流制御装置１のオペレータに向けた表示画面であって、蓄積された混雑履歴情報に基づく混雑状況監視画面を表示する。図１９に示すように、混雑状況監視画面では、各イベントスポットＡ２（Ａ２１、Ａ２２、・・・）の名称を表示するスポット名表示画像Ｑ１と、スポット名表示画像Ｑ１に示されるイベントスポットＡ２別、かつ、時間軸Ｑ１’上における所定の時間帯別（例えば、１５分おき）の観測情報（情景画像Ｑ２、Ｑ２’）がサムネイル化されて配列表示されている。更に、配列された情景画像Ｑ２、Ｑ２’には、各情景画像Ｑ２、Ｑ２’から把握される各イベントスポットＡ２（Ａ２１、Ａ２２、・・・）の混雑度が、“１”〜“５”の５段階で数値化されている。
カーソルＱ３は、混雑状況監視画面に表示される時間軸Ｑ１’上において、現在時刻に対応する位置に表示される。この時間軸Ｑ１’上においてカーソルＱ３よりも過去側（画面左側）に配列された情景画像Ｑ２は、現在日（「本日」）の各時間帯に取得された最新の情景画像である。また、カーソルＱ３よりも未来側（画面右側）に配列された情景画像Ｑ２’は、「本日」と同じ曜日であって、当該「本日」よりも過去の日（「過去日」）の各時間帯に取得された情景画像である。カーソルＱ３は、時間の経過とともに時間軸Ｑ１’上を推移し、同時に、「過去日」の情景画像Ｑ２’が「本日」の同時間帯に取得された情景画像Ｑ２に逐次更新される。
オペレータは、混雑状況監視画面において、「本日」と同じ曜日の「過去日」に取得された時間帯別の情景画像を参照することで、各イベントスポットＡ２における将来（「本日」の現在時刻以降の時間帯）に生じる混雑度の推移を推定することができる。
なお、本実施形態においては、混雑状況監視画面を用いて、過去の“同じ曜日”の日（例えば、１週間前）の混雑度の推移を把握するものとしているが、他の実施形態においてはこの態様に限定されない。即ち、連休、月末、年末年始、お盆等の暦に応じて、一月前又は一年前の「過去日」に取得された混雑度を参照して、「本日」の混雑度の推移を推定してもよい。
【００７７】
また、交通流制御処理部１１は、更に、交通流制御装置１のオペレータに向けて、図２０に示すような選出重みづけ値設定画面を表示する。図２０に示すように、選出重み付け値設定画面は、利用者Ｘの各イベントスポットＡ２間の移動にかかる所要時間を示す平均所要時間Ｑ４を表示している。図２０に示す例では、イベントスポットＡ２１から他のイベントスポットＡ２２、Ａ２３、・・・までの移動にかかる平均所要時間Ｑ４が示されている。この平均所要時間Ｑ４は、例えば、過去に取得された複数の利用者Ｘの移動履歴情報（記録媒体１３に蓄積された移動履歴情報）に基づいて算出される。
オペレータは、混雑状況監視画面（図１９）に示される情景画像Ｑ２、Ｑ２’、及び、選出重み付け値設定画面（図２０）における平均所要時間Ｑ４を参照して、各イベントスポットＡ２について、どの時間帯にどの程度の利用者Ｘを収集させるかを判断し、各イベントスポットＡ２の混雑が分散するように選出重み付け設定値Ｒ１を入力する。選出重み付け設定値Ｒ１は、図２０に示すように、例えば、“１”〜“５”の５段階で設定される。例えば、オペレータは、移動先のイベントスポットＡ２における、当該利用者Ｘの到着予想時刻に対応する混雑度が高いほど、選出重み付け設定値Ｒ１を低く設定し、混雑度が低いほど、選出重み付け設定値Ｒ１を高く設定する。
また、オペレータは、各イベントスポットＡ２にどの程度の時間だけ滞在させるべきかを示す理想滞在時間設定値Ｒ２を入力する。この理想滞在時間設定値Ｒ２は、例えば、推奨イベントスポット情報（図１２）の推奨滞在時間帯に反映される。
【００７８】
選出確率決定部１１０は、利用者Ｘが未到来のイベントスポットＡ２につき、オペレータにより予め設定された選出重み付け設定値Ｒ１（図２０）に比例するような各イベントスポットＡ２の選出確率（図１８）を算出して決定し、選出確率情報を生成する。
【００７９】
次に、交通流制御処理部１１は、分析結果出力処理を行う（ステップＳ２５）。
ここで、特典付与部１１２及び選出確率決定部１１０は、それぞれ、ステップＳ２３で新たに更新された特典ポイント及びクラスポイントからなる特典情報と、ステップＳ２４で決定された選出確率情報と、を表示付ステーション２に出力する。この分析結果（選出確率情報、特典情報）は、表示付ステーション２によるステップＳ１３（図１５）の処理において受領される。
【００８０】
（作用効果）
以上のような交通流制御装置１によれば、スポット利用情報取得部１０がイベントスポットＡ２における混雑度（スポット利用情報）を取得し、選出確率決定部１１０が当該スポット利用情報に基づいて、複数のイベントスポットＡ２の各々が、当該イベントスポットＡ２を移動先として選択可能な分岐地点（交通結節点Ｊ等）に位置する利用者Ｘに向けての推奨の移動先として選出される選出確率を決定する。
このようにすることで、各イベントスポットＡ２が分岐地点に位置する利用者Ｘに向けてのお勧めの移動先として選出される確率が、各イベントスポットＡ２の混雑度に応じて分散される。したがって、利用者Ｘの移動先を強制的に規制することなく、イベントスポットＡ２別の利用の度合いを均すような（各イベントスポットＡ２への利用者Ｘの収集が均一化されるような）交通流制御を行うことができる。また、利用者Ｘは、強制ではなくゲーム感覚で楽しく移動先とするイベントスポットＡ２を決定することができる。以上より、利用者Ｘの満足度を高めながら、観光エリアＡ１における交通流を円滑化することができる。なお、「観光エリアＡ１における交通流を円滑化する」とは、目的地となるイベントスポットへの経路（道路等）における渋滞を解消すること、及び、イベントスポットにおける混雑を解消すること、の少なくとも一方を意味する。
【００８１】
また、本実施形態に係る交通流制御装置１によれば、上述したように、選出確率決定部１１０は、利用者Ｘの移動履歴情報を参照して、当該利用者Ｘが既に到来済みのイベントスポットＡ２についての選出確率をゼロと決定する。
このようにすることで、利用者Ｘが既に到来したイベントスポットＡ２が再度選出されなくなるので、利用者Ｘに対し、より適切な案内を提供することができる。
【００８２】
また、本実施形態に係る交通流制御装置１によれば、特典付与部１１２は、推奨の移動先を提示された利用者Ｘが、当該推奨の移動先として提示されたイベントスポットＡ２に移動して高い「協力度」を得ることで、当該利用者Ｘにとって有利となる特典（クラスポイント）を付与する。
このようにすることで、移動先として推奨されたイベントスポットＡ２に移動しようとする利用者Ｘの意欲を高め、当該利用者Ｘが推奨のイベントスポットＡ２に理想的に向かう確率が高まるので、より効果的に交通流を制御することができる。
【００８３】
また、本実施形態に係る交通流制御装置１によれば、選出確率決定部１１０は、記録媒体１３に記録・蓄積された各イベントスポットＡ２の過去の混雑度の経時的な推移から推定される将来の混雑度に基づいて選出確率を決定する。
このようにすることで、選出確率決定部１１０は、利用者ＸがイベントスポットＡ２への移動に要する所要時間経過後の（将来の）混雑度に基づいて選出確率を決定するので、より精度良く、複数のイベントスポットＡ２の混雑度を均一化させることができる。
【００８４】
また、本実施形態に係る交通流制御システム９によれば、表示付ステーション２が分岐地点（交通結節点Ｊ）に設置されるとともに、当該表示付ステーション２が、交通流制御装置１から取得した選出確率情報に基づいて、特定のイベントスポットＡ２を選出して提示する。
このようにすることで、利用者Ｘは、移動先として複数のイベントスポットＡ２を選択可能な位置（交通結節点Ｊ等）に到達した際に、その場で、その時間帯における推奨のイベントスポットＡ２を簡便に把握することができる。したがって、利用者Ｘは、予め一連の巡回経路を調べておく必要がなくなり、利用者Ｘの負担を軽減することができる。
【００８５】
また、本実施形態に係る交通流制御システム９は、表示付ステーション２及び簡易ステーション２ａと通信を行い、当該表示付ステーション２及び簡易ステーション２ａから取得した情報（ステーションＩＤ、現在時刻）に基づいて、当該利用者Ｘの移動履歴情報を更新して記録する携帯型記録装置３を用いることを特徴としている。
このようにすることで、交通流制御システム９は、観光エリアＡ１内における利用者Ｘ個々の移動履歴を、精度良く、かつ、詳細に把握することができる。これにより、交通流制御システム９は、複数の利用者Ｘについての移動履歴情報を収集することで、イベントスポットＡ２間の移動にかかる平均所要時間、平均滞在時間等の詳細な情報を把握することができる。また、交通流制御システム９は、詳細に記録された移動履歴情報に基づいて、利用者Ｘに一層適切な案内を提供することができる。
【００８６】
また、本実施形態に係る携帯型記録装置３は、分岐地点（交通結節点Ｊ等）に設置された表示付ステーション２と通信を行い、当該表示付ステーション２に向けて、記録された利用者Ｘの移動履歴情報を出力する。
このようにすることで、表示付ステーション２が、移動履歴情報に基づいて、当該利用者Ｘが各イベントスポットＡ２につき到来済みか否かを識別することができるので、到来済みのイベントスポットＡ２を選出から除外することで、利用者Ｘに一層適切な案内を提供することができる。
【００８７】
また、本実施形態に係る携帯型記録装置３は、表示付ステーション２から、推奨されたイベントスポットＡ２が示された推奨イベントスポット情報を取得して記録するとともに、利用者Ｘが、当該推奨イベントスポット情報に示されるイベントスポットＡ２に移動した場合に、表示付ステーション２から、新たに付与されたクラスポイントを取得して記録する。
このようにすることで、利用者Ｘが、提示（選出）されたお勧めのイベントスポットＡ２を巡った際に与えられる特典が携帯型記録装置３に記録されて累積されていくので、利用者Ｘに対し、推奨されたイベントスポットＡ２の通りに巡ろうとするインセンティブをより効果的に与えることができる。
【００８８】
＜その他の実施形態＞
以上、第１の実施形態について詳細に説明したが、各実施形態に係る交通流制御システム９の具体的な態様は、上述のものに限定されることはなく、要旨を逸脱しない範囲内において種々の設計変更等を加えることは可能である。
例えば、上述の交通流制御処理部１１は、図１９、図２０に示される支援用の画面（混雑状況監視画面、重みづけ設定画面）をオペレータが確認しながら、手動でイベントスポットＡ２別の選出重みづけ設定値を入力決定するものとして説明したが、他の実施形態においてはこの態様に限定されない。
例えば、他の実施形態に係る交通流制御処理部１１は、混雑状況監視画面、重みづけ設定画面に想到する情報に基づいて、自動的に、イベントスポットＡ２別の選出重みづけ設定値を決定するものであってもよい。
【００８９】
また、本実施形態に係る表示付ステーション２は、交通結節点Ｊ、駐車場Ｐ等の分岐地点に設置されるものとして説明したが、他の実施形態に係る表示付ステーション２は、この態様に限定されない。即ち、表示付ステーション２は、イベントスポットＡ２内又は道路Ｎ上等に設置されてもよい。
【００９０】
図２１は、第１の実施形態の変形例に係る交通流制御装置の機能を説明する図である。
また、第１の実施形態の変形例に係る交通流制御処理部１１（選出確率決定部１１０）は、特定のイベントスポットＡ２までの巡回経路の各々に対応して、選出確率を決定する態様であってもよい。
具体的には、選出確率決定部１１０は、複数のイベントスポットＡ２の順列で示される巡回経路の中から利用者にとっての推奨の巡回経路（推奨巡回経路）の候補を複数選定するとともに、当該推奨巡回経路の候補別の選出確率を決定する。
【００９１】
この場合、当該変形例に係る交通流制御処理部１１は、例えば、図２１に示すような、過去移動履歴情報表示画面を表示してもよい。この過去移動履歴情報表示画面には、記録媒体１３において過去に蓄積された移動履歴情報に基づいて選定された代表的な巡回経路である推奨巡回経路の候補Ｑ５が表示されている。この推奨巡回経路の候補Ｑ５は、多くの利用者Ｘが、短時間に多くのイベントスポットＡ２を巡ることが可能な巡回経路として、記録媒体１３において過去に蓄積された移動履歴情報に基づいて自動的に（又は手動で）選定される。
【００９２】
交通流制御装置１のオペレータは、混雑状況監視画面（図１９）と、過去移動履歴情報表示画面と、を参照して、複数の推奨巡回経路の候補Ｑ５の各々に対応する選出重み付け設定値を入力する。この際、オペレータは、例えば、各推奨巡回経路の候補Ｑ５に示される巡回経路で巡った場合における各イベントスポットＡ２への推定到達時刻が、各イベントスポットＡ２の混雑ピーク時間帯に重ならない巡回経路ほど、重み付け設定値を高めに設定する。
そして、選出確率決定部１１０は、オペレータによって設定された重み付け設定値に応じて、推奨巡回経路の候補Ｑ５別の選出確率を決定する。これにより、複数のイベントスポットＡ２に渡り混雑が回避されやすい巡回経路ほど、利用者Ｘに向けての推奨の巡回経路として選出される確率が高くなる。
【００９３】
以上、当該変形例に係る交通流制御システム９によれば、利用者Ｘは、分岐地点（交通結節点Ｊ等）において、混雑が回避可能な推奨巡回経路を把握することができる。これにより、利用者Ｘは、観光エリアＡ１における複数のイベントスポットＡ２のお勧めの巡り方（推奨の巡回経路）を知ることができるので、複数のイベントスポットＡ２を計画的に巡回しやすくなり、利用者Ｘの観光の満足度を一層高めることができる。
【００９４】
また、第１の実施形態に係る携帯型記録装置３は、内部に記録媒体３２ａ、３２ｂ、３２ｃを備え、当該記録媒体には移動履歴情報、推奨イベントスポット情報及び特典情報が逐次記録されるものとして説明したが、他の実施形態においてはこの態様に限定されない。
即ち、移動履歴情報、推奨イベントスポット情報及び特典情報は、観光エリアＡ１を巡る個々の利用者Ｘに紐づいて管理されていればよく、例えば、別途用意された記録用サーバ装置において、逐次記録、更新されるものであってもよい。この場合において、利用者Ｘに携帯される携帯型記録装置３は、表示付ステーション２（又は簡易ステーション２ａ）との無線通信において、単に、携帯型記録装置３固有の記録装置ＩＤのみを送信する態様であってもよい。上記記録用サーバ装置は、受信した記録装置ＩＤに紐付けながら、移動履歴情報、推奨イベントスポット情報及び特典情報の記録、更新処理を行う。
このように、移動履歴情報、推奨イベントスポット情報及び特典情報が、上記記録用サーバ装置で集中的に記録、更新がなされることで、各種装置間の通信量を最小化できるばかりでなく、上記各種情報の活用（ビッグデータ分析等）を図りやすくなる。
【００９５】
また、第１の実施形態に係る交通流制御装置１は、内部に選出確率決定部１１０を備え、スポット利用情報に基づいて、イベントスポットＡ２の各々が推奨の移動先として選出される選出確率を決定するものとして説明した。また、表示付ステーション２は、内部にルーレット処理部２２０を備え、交通流制御装置１によって決定された選出確率で、推奨の移動先として特定のイベントスポットＡ２を選出し、これを利用者Ｘに提示するものとして説明した。しかし、他の実施形態においてはこの態様に限定されない。
例えば、他の実施形態に係る交通流制御装置１は、上述の選出確率決定部１１０とルーレット処理部２２０とを備える態様であってもよい。即ち、交通流制御装置１は、選出確率の決定処理に加え推奨の移動先の選出処理までを行い、一方、表示付ステーション２は、交通流制御装置１によって選出された特定のイベントスポットＡ２を単に提示するのみ、としてもよい。ただし、この場合においても、表示付ステーション２は、見かけ上の当て物ゲーム風の演出（図１６参照）を行ってもよい。  また、上記の場合とは逆に、表示付ステーション２が、上述の選出確率決定部１１０とルーレット処理部２２０とを備える態様であってもよい。即ち、交通流制御装置１は、単に、スポット利用情報を表示付ステーション２に送信するのみで、表示付ステーション２が、交通流制御装置１から受信したスポット利用情報に基づいてイベントスポットＡ２別の選出確率を決定するとともに、推奨の移動先の選出処理及び提示処理を行ってもよい。
【００９６】
なお、上述の各実施形態においては、交通流制御装置１、表示付ステーション２、簡易ステーション２ａ及び携帯型記録装置３の各種機能を実現するためのプログラムをコンピュータ読み取り可能な記録媒体に記録して、この記録媒体に記録されたプログラムをコンピュータシステムに読み込ませ、実行することにより各種処理を行うものとしている。ここで、上述した交通流制御装置１、表示付ステーション２、簡易ステーション２ａ及び携帯型記録装置３の各種処理の過程は、プログラムの形式でコンピュータ読み取り可能な記録媒体に記憶されており、このプログラムをコンピュータが読み出して実行することによって上記各種処理が行われる。ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
また、交通流制御装置１等の各種機能が、ネットワークで接続される複数の装置に渡って具備される態様であってもよい。
【００９７】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００９８】
１  交通流制御装置
１０  スポット利用情報取得部
１１  交通流制御処理部
１１０  選出確率決定部
１１１  移動履歴情報取得部
１１２  特典付与部
１２  有線通信部
１３  記録媒体
２  表示付ステーション（推奨スポット提示装置）
２ａ  簡易ステーション（移動履歴更新装置）
２０  表示部
２１  操作部
２２、２２ａ  ステーション処理部
２２０  ルーレット処理部
２２１  分析依頼処理部
２２２  特典通知処理部
２２３  移動履歴情報更新部
２３  有線通信部
２４  記録装置用通信部
２５  人感センサ
３  携帯型記録装置
３０  記録・出力処理部
３００ａ  移動履歴情報記録処理部
３００ｂ  移動履歴情報出力処理部
３０１ａ  推奨イベントスポット情報記録処理部
３０１ｂ  推奨イベントスポット情報出力処理部
３０２ａ  特典情報記録処理部
３０２ｂ  特典情報出力処理部
３１  ステーション用通信部（通信部）
３２ａ、３２ｂ、３２ｃ  記録媒体
９  交通流制御システム
Ａ１  観光エリア（対象地域）
Ａ２  イベントスポット
Ｊ  交通結節点（分岐地点）
Ｎ  道路
Ｐ  駐車場
Ｖ  混雑観測装置
Ｌ  有線通信回線
Ｗ１  同報波
Ｗ２  特定波
Ｗａ  記録装置送信波
Ｑ１  スポット名表示画像
Ｑ１’  時間軸
Ｑ２、Ｑ２’  情景画像
Ｑ３  カーソル
Ｑ４  平均所要時間
Ｑ５  推奨巡回経路の候補
Ｒ１  選出重み付け設定値
Ｒ２  理想滞在時間設定値
【図１】
0006539869.tif 000002
【図２】
0006539869.tif 000003
【図３】
0006539869.tif 000004
【図４】
0006539869.tif 000005
【図５】
0006539869.tif 000006
【図６】
0006539869.tif 000007
【図７】
0006539869.tif 000008
【図８】
0006539869.tif 000009
【図９】
0006539869.tif 000010
【図１０】
0006539869.tif 000011
【図１１】
0006539869.tif 000012
【図１２】
0006539869.tif 000013
【図１３】
0006539869.tif 000014
【図１４】
0006539869.tif 000015
【図１５】
0006539869.tif 000016
【図１６】
0006539869.tif 000017
【図１７】
0006539869.tif 000018
【図１８】
0006539869.tif 000019
【図１９】
0006539869.tif 000020
【図２０】
0006539869.tif 000021
【図２１】
0006539869.tif 000022